(57)【特許請求の範囲】
【請求項１】
前方に開口する筐体と、前記筐体に対し水平方向に動いて開閉される貨幣処理ユニットと、を備える貨幣処理装置であって、
前記貨幣処理ユニットは、閉状態で前方位置に配置される前方ユニット部、閉状態で中間位置に配置される中間ユニット部、閉状態で後方位置に配置される後方ユニット部、の少なくとも３つのユニット部を有し、
前記前方ユニット部は、閉状態での後部の左右方向一側の鉛直延在する前方ユニット部回転軸を中心に回動可能となるよう前記筐体に連結されており、
前記中間ユニット部は、閉状態での前部または後部の左右方向他側の鉛直延在する中間ユニット部回転軸を中心に回動可能となるよう前記筐体に連結されており、
前記後方ユニット部は、前記前方ユニット部が前記前方ユニット部回転軸を中心に回動して開状態となり、その後、前記中間ユニット部が前記中間ユニット部回転軸を中心に回動して開状態となった後に、前記筐体から前方へ引き出し可能となることを特徴とする貨幣処理装置。
【請求項２】
前記後方ユニット部が前記筐体から引き出される際の最大引き出し量は、閉状態にある前記貨幣処理ユニット全体の奥行き寸法よりも短いことを特徴とする請求項１記載の貨幣処理装置。
【請求項３】
紙幣の処理を行うものであって、
前記前方ユニット部は、前方ユニット部本体と、前記前方ユニット部本体に対し着脱可能な前方カセットとを有しており、
前記前方カセットは、前記前方ユニット部本体に取り付けられて、装置外部で収納された紙幣を前記前方ユニット部本体側に繰り出す補充、および、前記前方ユニット部本体側から紙幣を収納して装置外部へ取り外し可能となる回収、の少なくともいずれか一方が可能なことを特徴とする請求項１または請求項２記載の貨幣処理装置。
【請求項４】
前記前方ユニット部には、閉状態での前記前方カセットの後方位置に、紙幣を鉛直方向に搬送して識別する紙幣識別搬送路が設けられていることを特徴とする請求項３記載の貨幣処理装置。
【請求項５】
前記後方ユニット部は、後方ユニット部本体と、前記後方ユニット部本体に対し着脱可能な複数の後方カセットとを有しており、
前記後方カセットは、前記後方ユニット部本体に取り付けられて、装置内部で搬送される紙幣の収納、および、収納紙幣の装置内部での繰り出し、の少なくともいずれか一方が可能なことを特徴とする請求項１乃至４のいずれか一項記載の貨幣処理装置。
【請求項６】
前記中間ユニット部は、閉状態にあるときに、前記筐体の前部開口を閉塞することを特徴とする請求項１乃至５のいずれか一項記載の貨幣処理装置。
【発明の詳細な説明】
【技術分野】
【０００１】
本発明は、貨幣処理装置に関する。
【背景技術】
【０００２】
貨幣処理装置において、カセット回収時や、搬送路上のジャム排除、センサ清掃等の保守時に、これらの処理を行うため、保守対象のユニットが筐体より引き出し可能に構成されたものがある（例えば、特許文献１参照）。
【先行技術文献】
【特許文献】
【０００３】
【特許文献１】特開２０１２−１５０６４４号公報
【発明の概要】
【発明が解決しようとする課題】
【０００４】
上記のような貨幣処理装置では、前方に開口する箱状の筐体と、この筐体に対し水平前後方向に引き出しおよび押し込み可能な貨幣処理ユニットとを有している。ジャムの解消やカセット交換、内部点検等の保守作業を行う際は、保守対象の部位がアクセス可能となる位置まで筐体から貨幣処理ユニットを引き出すことになる。よって保守作業を行う際の目的とする部位が、筐体より引き出される貨幣処理ユニットの最後部に位置するときは、貨幣処理ユニットを、引き出し可能となる全量を引き出す必要がある。しかしながら、貨幣処理装置の設置されている環境によっては、貨幣処理装置の前方スペースが限られ、装置前面側の保守エリアが十分に確保できず、作業内容によっては作業が全くできないか、または、やり辛くなるなどの不都合が生じるため、狭いスペースでは装置を設置できない可能性がある。
【０００５】
したがって、本発明は、保守作業のための前方スペースの省スペース化が図れる貨幣処理装置の提供を目的とする。
【課題を解決するための手段】
【０００６】
上記目的を達成するために、請求項１に係る発明は、前方に開口する筐体と、前記筐体に対し水平方向に動いて開閉される貨幣処理ユニットと、を備える貨幣処理装置であって、前記貨幣処理ユニットは、閉状態で前方位置に配置される前方ユニット部、閉状態で中間位置に配置される中間ユニット部、閉状態で後方位置に配置される後方ユニット部、の少なくとも３つのユニット部を有し、前記前方ユニット部は、閉状態での後部の左右方向一側の鉛直延在する前方ユニット部回転軸を中心に回動可能となるよう前記筐体に連結されており、前記中間ユニット部は、閉状態での前部または後部の左右方向他側の鉛直延在する中間ユニット部回転軸を中心に回動可能となるよう前記筐体に連結されており、前記後方ユニット部は、前記前方ユニット部が前記前方ユニット部回転軸を中心に回動して開状態となり、その後、前記中間ユニット部が前記中間ユニット部回転軸を中心に回動して開状態となった後に、前記筐体から前方へ引き出し可能となることを特徴とする。
【０００７】
請求項２に係る発明は、請求項１に係る発明において、前記後方ユニット部が前記筐体から引き出される際の最大引き出し量は、閉状態にある前記貨幣処理ユニット全体の奥行き寸法よりも短いことを特徴とする。
【０００８】
請求項３に係る発明は、請求項１または２に係る発明において、紙幣の処理を行うものであって、前記前方ユニット部は、前方ユニット部本体と、前記前方ユニット部本体に対し着脱可能な前方カセットとを有しており、前記前方カセットは、前記前方ユニット部本体に取り付けられて、装置外部で収納された紙幣を前記前方ユニット部本体側に繰り出す補充、および、前記前方ユニット部本体側から紙幣を収納して装置外部へ取り外し可能となる回収、の少なくともいずれか一方が可能なことを特徴とする。
【０００９】
請求項４に係る発明は、請求項３に係る発明において、前記前方ユニット部には、閉状態での前記前方カセットの後方位置に、紙幣を鉛直方向に搬送して識別する紙幣識別搬送路が設けられていることを特徴とする。
【００１０】
請求項５に係る発明は、請求項１乃至４のいずれか一項に係る発明において、前記後方ユニット部は、後方ユニット部本体と、前記後方ユニット部本体に対し着脱可能な複数の後方カセットとを有しており、前記後方カセットは、前記後方ユニット部本体に取り付けられて、装置内部で搬送される紙幣の収納、および、収納紙幣の装置内部での繰り出し、の少なくともいずれか一方が可能なことを特徴とする。
【００１１】
請求項６に係る発明は、請求項１乃至５のいずれか一項に係る発明において、前記中間ユニット部は、閉状態にあるときに、前記筐体の前部開口を閉塞することを特徴とする。
【発明の効果】
【００１２】
請求項１に係る発明によれば、筐体に対し水平方向に動いて開閉される貨幣処理ユニットが、前方ユニット部、中間ユニット部、後方ユニット部、の少なくとも３つのユニット部を備えており、これらは、前方ユニット部が、閉状態での後部の左右方向一側の鉛直延在する前方ユニット部回転軸を中心に左右方向一側に回動して開状態となり、その後、中間ユニット部が、閉状態での前部または後部の左右方向他側の鉛直延在する中間ユニット部回転軸を中心に左右方向他側に回動して開状態となり、その後、後方ユニット部が筐体から前方へ引き出されて開状態になる。これにより、保守点検時に必要な前方スペースは、前方ユニット部の上記回動、中間ユニット部の上記回動および後方ユニット部の上記引き出しが可能となるスペースとなる。よって、保守作業のための前方スペースの省スペース化が図れる。
【００１３】
請求項２に係る発明によれば、後方ユニット部が筐体から引き出される際の最大引き出し量、つまり後方ユニット部の閉状態から全開状態までの前端位置の移動量は、閉状態にある貨幣処理ユニット全体の奥行き寸法よりも短い。このため、閉状態の前端位置まで後方ユニット部を引き出すように貨幣処理ユニット全体を引き出す場合と比べて、保守作業のための前方スペースの省スペース化が図れる。
【００１４】
請求項３に係る発明によれば、前方ユニット部は、前方ユニット部本体に対し着脱可能な前方カセットを有しているが、この前方カセットは、前方ユニット部本体に取り付けられて、装置外部で収納された紙幣を前方ユニット部本体側に繰り出す補充、および、前方ユニット部本体側から紙幣を収納して装置外部へ取り外し可能となる回収、の少なくともいずれか一方が可能なものである。このため、前方カセットは空の状態であることが比較的多い。よって、前方ユニット部の開閉操作が容易となる。
【００１５】
請求項４に係る発明によれば、前方ユニット部の閉状態での前方カセットの後方位置に設けられた紙幣識別搬送路が、紙幣を鉛直方向に搬送しつつ識別するため、前方ユニット部の閉状態での前後方向の寸法拡大を抑制できる。
【００１６】
請求項５に係る発明によれば、筐体に対し引き出し可能であることから、比較的重たくても良い後方ユニット部に、装置内部で搬送される紙幣の収納および収納紙幣の装置内部での繰り出しのうちの少なくともいずれか一方が可能な複数の後方カセットを設けているため、耐荷重のための構造を簡素化することができる。
【００１７】
請求項６に係る発明によれば、中間ユニット部は、閉状態にあるときに、筐体の前部開口を閉塞するため、中間ユニット部が筐体とで金庫化して、後方ユニット部の保安性を高めることができる。
【図面の簡単な説明】
【００１８】
【図１】本発明の一実施形態に係る貨幣処理装置を概略的に示す側面図である。
【図２】本発明の一実施形態に係る貨幣処理装置を概略的に示す平面図である。
【図３】本発明の一実施形態に係る貨幣処理装置を概略的に示す側面図であって、入金処理ルートを太線で示すものである。
【図４】本発明の一実施形態に係る貨幣処理装置を概略的に示す側面図であって、収納処理ルートを太線で示すものである。
【図５】本発明の一実施形態に係る貨幣処理装置を概略的に示す側面図であって、返却処理ルートを太線で示すものである。
【図６】本発明の一実施形態に係る貨幣処理装置を概略的に示す側面図であって、整理計数処理ルートを太線で示すものである。
【図７】本発明の一実施形態に係る貨幣処理装置を概略的に示す側面図であって、出金処理ルートを太線で示すものである。
【図８】本発明の一実施形態に係る貨幣処理装置を概略的に示す側面図であって、精査処理の往路ルートを太線で示すものである。
【図９】本発明の一実施形態に係る貨幣処理装置を概略的に示す側面図であって、精査処理の復路ルートを太線で示すものである。
【図１０】本発明の一実施形態に係る貨幣処理装置を概略的に示す側面図であって、カセット補充処理ルートを太線で示すものである。
【図１１】本発明の一実施形態に係る貨幣処理装置を概略的に示す側面図であって、入金口補充処理の前段ルートを太線で示すものである。
【図１２】本発明の一実施形態に係る貨幣処理装置を概略的に示す側面図であって、入金口補充処理の後段ルートを太線で示すものである。
【図１３】本発明の一実施形態に係る貨幣処理装置を概略的に示す側面図であって、回収処理ルートを太線で示すものである。
【図１４】本発明の一実施形態に係る貨幣処理装置の変形例を概略的に示す平面図である。
【図１５】本発明の一実施形態に係る貨幣処理装置の別の変形例を概略的に示す側面図である。
【図１６】本発明の一実施形態に係る貨幣処理装置のさらに別の変形例を概略的に示す側面図である。
【発明を実施するための形態】
【００１９】
本発明の一実施形態に係る貨幣処理装置を図面を参照して以下に説明する。この貨幣処理装置１０は、外部から投入された紙幣を内部に収納する入金処理と、内部に収納されている紙幣を外部に取り出し可能に出金する出金処理とが可能な紙幣入出金装置である。なお、以下の説明における「前」は操作者側を、「後」は操作者とは反対側を、「左」は操作者から見て左を、「右」は操作者から見て右を示す。
【００２０】
図１に示すように、貨幣処理装置１０の前面側の上端部には、入金用の紙幣が外部から投入される入金口１１が設けられており、この入金口１１の下方に、入金用の紙幣のうち受け入れ不可なリジェクト紙幣を外部に取り出し可能とするリジェクト口１２が設けられている。リジェクト口１２の下方には、出金用の紙幣が内部から繰り出されこれを外部に取り出し可能とする出金口１３が設けられている。貨幣処理装置１０の上面の入金口１１の後方には操作者の操作入力を受け付けるとともに操作者に対し表示を行うタッチパネル式の操作表示部１４が設けられている。
【００２１】
入金口１１には、その後部の下部に搬送路１５Ａが接続されている。搬送路１５Ａは、入金口１１から後下がりに若干延出した後、鉛直下方に延出している。搬送路１５Ａには、入金口１１とは反対側の端末位置に、紙幣を一枚ずつ取り込んで収納可能であり、収納している紙幣を一枚ずつ繰り出し可能な一時貯留部１７が接続されている。この一時貯留部１７は、紙幣をテープとともにドラムに巻き付けて収納する巻付収納タイプとなっている。また、搬送路１５Ａの鉛直延在する部分の途中位置に、紙幣の真偽、正損、金種、重送、斜行等を識別する識別部１８が設けられている。搬送路１５Ａの鉛直方向に延在する部分と識別部１８とが、紙幣を鉛直方向に搬送して識別する紙幣識別搬送路２０となっている。
【００２２】
搬送路１５Ａにおける一時貯留部１７と識別部１８との間からは、搬送路１５Ｂが分岐している。この搬送路１５Ｂは搬送路１５Ａから水平前方に若干延出した後、鉛直上方に延出し、さらに若干前方に延出してリジェクト口１２の後部に接続されている。また、搬送路１５Ａにおける搬送路１５Ｂが分岐する位置と識別部１８との間からは、搬送路１５Ｃが分岐しており、この搬送路１５Ｃは搬送路１５Ｂに合流している。つまり、この搬送路１５Ｃは、一時貯留部１７をバイパスして搬送路１５Ａと搬送路１５Ｂとを接続させている。
【００２３】
搬送路１５Ｂにおけるリジェクト口１２と搬送路１５Ｃの合流位置との間からは、そのリジェクト口１２側から搬送路１５Ｄが分岐している。この搬送路１５Ｄは水平前方に延出して出金口１３の後部に接続されている。また、搬送路１５Ｂにおける搬送路１５Ｄの分岐位置と搬送路１５Ｃの合流位置との間からは、搬送路１５Ｅが分岐している。搬送路１５Ｅは搬送路１５Ｂから水平前方に延出した後、鉛直下方に延出して前方カセット２１に接続されている。前方カセット２１は、紙幣を一枚ずつ取り込んで収納可能であり、収納している紙幣を一枚ずつ繰り出し可能となっている。前方カセット２１は、紙幣を上部に受け入れて水平状態で下から上に集積させて収納するとともに収納している紙幣を上端部のものから繰り出す集積収納タイプとなっている。
【００２４】
搬送路１５Ａにおける入金口１１と識別部１８との間からは、搬送路１５Ｆが分岐している。搬送路１５Ｆは搬送路１５Ａから水平後方に延出しており、貨幣処理装置１０の後部近くで下方に延出している。また、搬送路１５Ｆの途中位置からは、複数具体的には３カ所の搬送路１５Ｇ，１５Ｈ，１５Ｉが下方に分岐している。搬送路１５Ｇ，１５Ｈ，１５Ｉのそれぞれの端末位置と、搬送路１５Ｆの端末位置とに、貨幣処理装置１０内で前後に並んで設けられた複数具体的には４つの収納カセット２３（後方カセット）、収納カセット２４（後方カセット）、収納カセット２５（後方カセット）、収納カセット２６（後方カセット）が接続されている。収納カセット２３〜２６は、いずれも、紙幣を上部に受け入れて水平状態で下から上に集積させて収納するとともに収納している紙幣を上端部のものから繰り出す集積収納タイプとなっている。
【００２５】
貨幣処理装置１０は、前方に開口する直方体の箱状の筐体３１と、貨幣である紙幣の処理を行うとともに筐体３１に対し水平方向に動いて開閉される貨幣処理ユニット３２とを有している。
【００２６】
筐体３１は、水平に配置される下板部３４と、下板部３４より上方で水平に配置される上板部３５と、下板部３４および上板部３５の後端縁部同士を繋ぐ背板部３６と、下板部３４および上板部３５の左端縁部同士および右端縁部同士を繋ぐ図２に示す一対の側板部３７とを有している。背板部３６および一対の側板部３７はいずれも鉛直に延在しており、一対の側板部３７は互いに平行であって背板部３６に直交する。そして、下板部３４、上板部３５および一対の側板部３７の、それぞれの背板部３６とは反対側の端縁部で構成される長方形状の周端縁部の内側が前部開口３８となっている。
【００２７】
貨幣処理ユニット３２は、図２に実線で示す閉状態で前方位置に配置される前方ユニット部４１と、図２に実線で示す閉状態で前後方向の中間位置に配置される中間ユニット部４２と、図２に実線で示す閉状態で後方位置に配置される後方ユニット部４３とを有している。言い換えれば、貨幣処理ユニット３２は、前後方向に３分割されている。
【００２８】
前方ユニット部４１は、図１に示すように、閉状態で筐体３１の前部開口３８を覆う本体部４５と、閉状態で本体部４５の上端部から後方に突出して筐体３１の上板部３５の上側に重なる上部突出部４６と、閉状態で本体部４５の上部突出部４６よりも下側から後方に突出して中間ユニット部４２の貫通穴４７に入り込む中間突出部４８とを有している。前方ユニット部４１は、図２に実線で示す閉状態での後部の左右方向一側、具体的には右側の隅位置で鉛直延在する前方ユニット部回転軸５１を中心に回動可能となるよう筐体３１の左右方向一側、具体的には右側の側板部３７の前端縁部に連結されている。つまり、前方ユニット部４１は、筐体３１にヒンジ結合されており、鉛直軸回りに水平に回転移動する。前方ユニット部４１は、右開きである。
【００２９】
前方ユニット部４１は、図２に実線で示す閉状態にあるとき、筐体３１の前部開口３８の全体を前方で覆うようにして筐体３１の前端縁部に全周にわたって当接する。また、前方ユニット部４１は、図２に実線で示す閉状態から図２に二点鎖線で示す開状態にされると、前方ユニット部回転軸５１を中心に前方かつ右方に回動した後、後方かつ右方に回動して、前部開口３８の全体の前方範囲から退避する。
【００３０】
中間ユニット部４２は、図２に実線で示す閉状態での前部の左右方向の前方ユニット部回転軸５１とは反対の他側、具体的には左側の隅位置で鉛直延在する中間ユニット部回転軸５２を中心に回動可能となるよう筐体３１の左右方向他側、具体的には左側の側板部３７の前端縁部に連結されている。つまり、中間ユニット部４２は、筐体３１にヒンジ結合されており、鉛直軸回りに水平に回転移動する。中間ユニット部４２は、左開きである。
【００３１】
ここで、前方ユニット部４１が、図２に実線で示す閉状態での後部の左側の隅位置で鉛直延在する前方ユニット部回転軸を中心に回動可能となるよう筐体３１の左側の側板部３７の前端縁部に連結されていて良く、この場合、中間ユニット部４２は、図２に実線で示す閉状態での前部の右側の隅位置で鉛直延在する中間ユニット部回転軸を中心に回動可能となるよう筐体３１の右側の側板部３７の前端縁部に連結されることになる。
【００３２】
中間ユニット部４２は、図２に実線で示す閉状態にあるとき、筐体３１の前部開口３８の全体をその内側に入り込んで閉塞する。また、中間ユニット部４２は、図２に実線で示す閉状態から図２に二点鎖線で示す開状態にされると、中間ユニット部回転軸５２を中心に前方かつ左方に回動した後、後方かつ左方に回動して、前部開口３８の全体の前方範囲から退避する。ここで、中間ユニット部４２は、前方ユニット部４１が開状態にあるときに限り開作動可能となっている。つまり、前方ユニット部４１が閉状態にあるときに中間ユニット部４２も閉状態にある。閉状態にある中間ユニット部４２の図１に示す貫通穴４７は、前方ユニット部４１の開閉回動により旋回する中間突出部４８を進退可能に形成されている。
【００３３】
後方ユニット部４３は、筐体３１の図２に示す一対の側板部３７に図示略のスライドレールを介して支持されており、よって、筐体３１にスライド可能に連結されている。後方ユニット部４３は、図２に実線で示すように筐体３１内に最も押し込まれた閉状態にあるとき、全体が筐体３１内に配置される。その際に、筐体３１の前端部との間に中間ユニット部４２を入り込ませることが可能なスペースを形成する。また、後方ユニット部４３は、筐体３１から引き出されると前部開口３８から前方に突出し、図２に二点鎖線で示すように筐体３１から最も引き出されると、全体が筐体３１の外に出る。ここで、後方ユニット部４３は、前方ユニット部４１が図２に二点鎖線で示す開状態にあり、かつ、中間ユニット部４２が図２に二点鎖線で示す開状態にあるときに限り引き出し可能つまり開作動可能となっている。つまり、後方ユニット部４３は、前方ユニット部４１が前方ユニット部回転軸５１を中心に回動して開状態となり、その後、中間ユニット部４２が中間ユニット部回転軸５２を中心に回動して開状態となった後に、筐体３１から前方へ引き出し可能となる。
【００３４】
貨幣処理ユニット３２の最後部である後方ユニット部４３の最後部にアクセスする（引き出し可能な全量を前方へ引き出す）際は、最初に、前方ユニット部４１を開放し、次に、中間ユニット部４２を前方ユニット部４１とは反対側へ開放し、次に、後方ユニット部４３をその全体が筐体３１から出るまで前方へ引き出す。
【００３５】
後方ユニット部４３が筐体３１から引き出される際の最大引き出し量は、図２に二点鎖線で示すように後端部が、筐体３１よりも前方に位置するように設定されている。ただし、この最大引き出し量は、前方ユニット部４１、中間ユニット部４２および後方ユニット部４３がいずれも閉状態にある貨幣処理ユニット３２の全体の奥行き寸法（前端部から後端部までの長さ）よりも短くなっている。
【００３６】
図１に示すように、前方ユニット部４１には、その本体部４５に、上記した、入金口１１、リジェクト口１２、出金口１３、搬送路１５Ａ，１５Ｂ，１５Ｃ，１５Ｄ，１５Ｅ、一時貯留部１７、識別部１８および前方カセット２１が設けられている。また、前方ユニット部４１には、搬送路１５Ｆの搬送路１５Ａ側の一部である送路部１５Ｆａが設けられている。送路部１５Ｆａは、搬送路１５Ａ側の一部が本体部４５に配置されており、搬送路１５Ａとは反対側の一部が中間突出部４８内に配置されている。加えて、前方ユニット部４１には、その本体部４５から上部突出部４６にかけて上面に操作表示部１４が設けられている。
【００３７】
前方カセット２１は、前方ユニット部４１のこの前方カセット２１を除く部分である前方ユニット部本体６１に対し着脱可能となっている。言い換えれば、前方ユニット部４１は、前方ユニット部本体６１と、前方ユニット部本体６１に対し着脱可能な前方カセット２１とを有している。
【００３８】
前方カセット２１には、搬送路１５Ｅの一部の送路部１５Ｅａが配置されており、前方ユニット部本体６１には、搬送路１５Ｅの残りの一部の送路部１５Ｅｂが配置されている。前方ユニット部本体６１に、上記した入金口１１、リジェクト口１２、出金口１３、操作表示部１４、搬送路１５Ａ，１５Ｂ，１５Ｃ，１５Ｄ，１５Ｅ、一時貯留部１７および識別部１８が設けられている。
【００３９】
前方ユニット部４１には、前面または側面に図示略の開閉扉が設けられており、前方ユニット部４１は閉状態のまま、この開閉扉を開いて、前方カセット２１の前方ユニット部本体６１に対する取り付けおよび取り外しが行われる。つまり、前方カセット２１は、前方ユニット部４１を閉状態としたままで、前方ユニット部本体６１から取り外されて外部に取り出されたり、外部から挿入されて前方ユニット部本体６１に取り付けられたりする。
【００４０】
前方カセット２１は、前方ユニット部本体６１に取り付けられた状態にあるとき、後述するように、装置外部で収納された紙幣を前方ユニット部本体６１側に繰り出す補充、および、前方ユニット部本体６１側から紙幣を収納して装置外部へ取り外し可能となる回収が可能となっている。そして、前方ユニット部４１には、これが閉状態にあるときの前方カセット２１の後方位置に、紙幣を鉛直方向に搬送して識別する紙幣識別搬送路２０が設けられている。また、閉状態にある前方ユニット部４１の前方カセット２１の後方位置には、紙幣識別搬送路２０の鉛直下方に一時貯留部１７が設けられている。
【００４１】
中間ユニット部４２には、前方ユニット部４１の送路部１５Ｆａの一部が配置された中間突出部４８が挿入される貫通穴４７が形成されているものの、その内部には、紙幣の処理に関連する構成は設けられていない。つまり、中間ユニット部４２は、筐体３１の前部開口３８を開閉する蓋としてのみ機能する構造物となっている。
【００４２】
後方ユニット部４３には、搬送路１５Ｆの残りの一部である送路部１５Ｆｂ、搬送路１５Ｇ，１５Ｈ，１５Ｉと、収納カセット２３，２４，２５，２６とが設けられている。
【００４３】
収納カセット２３〜２６は、後方ユニット部４３のこれら収納カセット２３〜２６を除く部分である後方ユニット部本体６５に対し着脱可能となっている。言い換えれば、後方ユニット部４３は、後方ユニット部本体６５と、後方ユニット部本体６５に対し着脱可能な複数の収納カセット２３〜２６とを有している。
【００４４】
後方ユニット部本体６５は、収納カセット２３〜２６が着脱可能に載置される上方開口の箱状の載置部６６と、載置部６６の上方に開閉可能に設けられた搬送部６７とを有している。搬送部６７は、載置部６６の側壁部の前後方向に沿って延在する上縁部にヒンジ結合されて開閉し、開状態で載置部６６の上部開口６８を開放する。このため、搬送部６７は、後方ユニット部４３が筐体３１内にあるときは筐体３１に干渉して開不可であり、後方ユニット部４３の全体が筐体３１から引き出されると開可能となる。
【００４５】
搬送部６７には、送路部１５Ｆｂの収納カセット２６内に配置された構成部１５Ｆｂ１を除く構成部１５Ｆｂ２と、搬送路１５Ｇの収納カセット２３内に配置された送路部１５Ｇａを除く送路部１５Ｇｂと、搬送路１５Ｈの収納カセット２４内に配置された送路部１５Ｈａを除く送路部１５Ｈｂと、搬送路１５Ｉの収納カセット２５内に配置された送路部１５Ｉａを除く送路部１５Ｉｂと、が設けられている。
【００４６】
後方ユニット部４３の全体が筐体３１から引き出され、搬送部６７が開状態とされた状態で、収納カセット２３〜２６の載置部６６に対する取り付けおよび取り外しが行われる。その際に収納カセット２３〜２６は上方に移動して取り外され、下方に移動して取り付けられる。つまり、収納カセット２３〜２６は、後方ユニット部４３を開状態としなければ、後方ユニット部本体６５から取り外されて外部に取り出されたり、外部から挿入されて後方ユニット部本体６５に取り付けられたりできない。
【００４７】
収納カセット２３〜２６は、後方ユニット部本体６５に取り付けられた状態で、後述するように、装置内部で搬送される紙幣の収納および収納紙幣の装置内部での繰り出しが可能となっている。収納カセット２３〜２６は、例えば、金種別に紙幣を収納するものであり、収納カセット２３が一万円券を、収納カセット２４が千円券を、収納カセット２５が五千円券を、収納カセット２６が二千円券を、それぞれ収納する。
【００４８】
次に、本実施形態に係る貨幣処理装置の作動について各処理別に説明する。
【００４９】
「入金処理」
図３に太線で示す入金処理ルートで紙幣を搬送する。入金口１１に外部から紙幣が投入されて、操作表示部１４に入金処理開始の操作が入力されると、入金口１１が紙幣を一枚ずつ分離して繰り出し、これら紙幣を搬送路１５Ａが搬送する。この搬送中に、識別部１８が紙幣を識別することになり、識別部１８が受け入れ可能と識別した紙幣を搬送路１５Ａが一時貯留部１７に搬送し、一時貯留部１７が一時貯留させる（図３の太実線参照）。他方、識別部１８が受け入れ不可と識別した紙幣は、搬送路１５Ａ，１５Ｃ，１５Ｂがリジェクト口１２に放出する（図３の太実線から太破線参照）。入金口１１に投入された紙幣をすべて一時貯留部１７およびリジェクト口１２のいずれかに搬送した状態になると、識別部１８の識別結果から一時貯留部１７に一時貯留させている紙幣の金種別の枚数および総額等の金額情報を操作表示部１４が表示する。
【００５０】
「収納処理」
図４に太線で示す収納処理ルートで紙幣を搬送する。入金処理後の金額情報の操作表示部１４の表示後、操作者が操作表示部１４に承認操作を入力すると、一時貯留させていた紙幣を一時貯留部１７が繰り出し搬送路１５Ａが搬送する。この搬送中に、識別部１８が紙幣を識別することになり、その結果に基づいて、搬送路１５Ａ，１５Ｆおよび搬送路１５Ｇ〜１５Ｉの適宜のものが収納カセット２３〜２６の対応する金種のものに紙幣を振り分ける。振り分けられた紙幣を収納カセット２３〜２６が収納する。ここで、一時貯留部１７は巻付収納タイプであるため、繰り出し時に重送等の搬送不良を生じることがなく、一時貯留部１７が繰り出した紙幣に識別部１８で収納不可と判断されるものはない。この収納処理では、後方ユニット部本体６５に取り付けられた収納カセット２３〜２６が装置内部で搬送される紙幣の収納を行う。
【００５１】
「返却処理」
図５に太線で示す返却処理ルートで紙幣を搬送する。入金処理後の金額情報の操作表示部１４の表示後、操作者が操作表示部１４に返却操作を入力すると、一時貯留させていた紙幣を一時貯留部１７が繰り出し搬送路１５Ａ，１５Ｂ，１５Ｄが出金口１３に放出する。
【００５２】
「整理計数処理」
図６に太線で示す整理計数処理ルートで紙幣を搬送する。入金口１１に外部から紙幣が投入されて、操作表示部１４に金種の指定が入力され、その後、整理計数処理開始の操作が入力されると、入金口１１が紙幣を一枚ずつ分離して繰り出し、これら紙幣を搬送路１５Ａが搬送する。この搬送中に、識別部１８が紙幣を識別することになり、識別部１８が指定金種と識別した紙幣を搬送路１５Ａ，１５Ｃ，１５Ｂ，１５Ｄが出金口１３に放出する（図６の太実線参照）。他方、識別部１８が指定金種以外と識別した紙幣を搬送路１５Ａ，１５Ｃ，１５Ｂがリジェクト口１２に放出する（図６の太実線から太破線参照）。入金口１１に投入された紙幣をすべて出金口１３およびリジェクト口１２のいずれかに搬送した状態になると、識別部１８の識別結果から出金口１３に放出した指定金種の紙幣の枚数および総額等の金額情報を操作表示部１４が表示する。
【００５３】
「出金処理」
図７に太線で示す出金処理ルートで紙幣を搬送する。操作表示部１４に、出金させる紙幣の金額情報とともに出金処理の選択操作が入力されると、収納カセット２３〜２６の適宜のものが収納していた紙幣を繰り出し、搬送路１５Ｇ〜１５Ｉの適宜のものおよび搬送路１５Ｆ，１５Ａがこれら紙幣を識別部１８に向けて搬送する。そして、識別部１８で出金可能と識別した紙幣を搬送路５Ａ，１５Ｃ，１５Ｂ，１５Ｄが出金口１３に放出する（図７の太実線参照）。他方、識別部１８で出金不可と識別した紙幣を、搬送路１５Ａが一時貯留部１７に搬送し、一時貯留部１７が収納する（図７の太実線から太破線参照）。ここで、一時貯留部１７は巻付収納タイプとなっているため、巻き付けの奥側をこのような紙幣の収納領域として使用し、この収納領域よりも巻き付けの手前側を入金処理で紙幣を一時貯留させる一時貯留領域として使用する。収納処理では、後方ユニット部本体６５に取り付けられた収納カセット２３〜２６が装置内部で紙幣の繰り出しを行う。
【００５４】
「精査処理」
まず、図８に太線で示す精査処理の往路ルートで紙幣を搬送する。操作表示部１４に精査処理の選択操作が入力されると、例えば、収納カセット２３が紙幣を繰り出し、繰り出された紙幣を搬送路１５Ｇ，１５Ｆ，１５Ａが識別部１８に向けて搬送する。そして、識別部１８で収納カセット２３への収納が適正と識別した紙幣を、搬送路５Ａ，１５Ｃ，１５Ｂ，１５Ｅが前方カセット２１に搬送し、前方カセット２１が収納する（図８の太実線参照）。識別部１８で収納カセット２３への収納が適正でないと識別した紙幣を、搬送路１５Ａが一時貯留部１７に搬送し、一時貯留部１７が収納する（図８の太実線から太破線参照）。このようにして、収納カセット２３のすべての紙幣を、前方カセット２１あるいは一時貯留部１７に搬送する。
【００５５】
次に、図９に太線で示す精査処理の復路ルートで紙幣を搬送する。前方カセット２１が紙幣を繰り出し、繰り出された紙幣を搬送路１５Ｅ，１５Ｂ，１５Ｃ，１５Ａが識別部１８に向けて搬送する。そして、識別部１８で収納カセット２３への収納が適正と識別した紙幣を、搬送路１５Ａ，１５Ｆ，１５Ｇが収納カセット２３に搬送し、収納カセット２３が収納する（図９の太実線参照）。識別部１８で収納カセット２３への収納が適正でないと識別した紙幣については、前方カセット２１および搬送路１５Ｅ，１５Ｂ，１５Ｃが停止した状態で、搬送路１５Ａが逆転して一時貯留部１７に搬送し、一時貯留部１７が収納する（図９の太実線から太破線参照）。そして、前方カセット２１のすべての紙幣を、収納カセット２３あるいは一時貯留部１７に搬送する。このときの識別部１８の識別結果から、収納カセット２３へ収納した紙幣の枚数情報つまり金額情報を確定する。
【００５６】
上記と同様の処理を、収納カセット２４〜２６のそれぞれに対して行い、収納カセット２３〜２６の個々の金額情報を確定する。つまり、精査処理では、後方ユニット部本体６５に取り付けられた収納カセット２３〜２６が装置内部で紙幣の繰り出しおよび装置内部で搬送される紙幣の収納を行う。
【００５７】
「カセット補充処理」
図１０に太線で示すカセット補充処理ルートで紙幣を搬送する。ここで、カセット補充処理を行うにあたって、前方カセット２１には、装置外部で紙幣が収納される。操作表示部１４にカセット補充処理の選択操作が入力されると、前方カセット２１が紙幣を繰り出し、繰り出された紙幣を搬送路１５Ｅ，１５Ｂ，１５Ｃ，１５Ａが識別部１８に向けて搬送する。すると、識別部１８が紙幣を識別することになり、その結果に基づいて、収納可能と識別した紙幣を搬送路１５Ａ，１５Ｆおよび搬送路１５Ｇ〜１５Ｉの適宜のものが収納カセット２３〜２６の対応する金種のものに振り分ける。振り分けられた紙幣を収納カセット２３〜２６が収納する（図１０の太実線参照）。識別部１８が収納不可と識別した紙幣については、前方カセット２１および搬送路１５Ｅが停止した状態で、搬送路１５Ａ，１５Ｃ，１５Ｂが逆転して、リジェクト口１２に放出する（図１０の太実線から太破線参照）。このカセット補充処理では、前方ユニット部本体６１に取り付けられた前方カセット２１が、装置外部で収納された紙幣を前方ユニット部本体６１側に繰り出す。
【００５８】
「入金口補充処理」
まず、図１１に太線で示す入金口補充処理の前段ルートで紙幣を搬送する。操作表示部１４に入金口補充処理の選択操作が入力されると、入金口１１が紙幣を繰り出し、繰り出された紙幣を搬送路１５Ａが識別部１８に向けて搬送する。すると、識別部１８が紙幣を識別することになり、その結果に基づいて、収納可能と識別した紙幣を搬送路１５Ａが一時貯留部１７に一時貯留させる（図１１の太実線参照）。識別部１８が収納不可と識別した紙幣については、搬送路１５Ａ，１５Ｃ，１５Ｂがリジェクト口１２に放出する（図１１の太実線から太破線参照）。
【００５９】
次に、図１２に太線で示す入金口補充処理の後段ルートで紙幣を搬送する。一時貯留させていた紙幣を一時貯留部１７が繰り出し、搬送路１５Ａが搬送する。この搬送中に、識別部１８が紙幣を識別することになり、その結果に基づいて、搬送路１５Ａ，１５Ｆおよび搬送路１５Ｇ〜１５Ｉの適宜のものが収納カセット２３〜２６の対応する金種のものに振り分ける。振り分けられた紙幣を収納カセット２３〜２６が収納する。ここでも、一時貯留部１７は巻付収納タイプであるため、繰り出し時に重送等の搬送不良を生じることがなく、一時貯留部１７が繰り出した紙幣に識別部１８で収納不可と判断されるものはない。
【００６０】
「回収処理」
図１３に太線で示す回収処理ルートで紙幣を搬送する。操作表示部１４に回収処理の選択操作が入力されると、収納カセット２３〜２６の指定されたものが収納していた紙幣を繰り出し、搬送路１５Ｇ〜１５Ｉの適宜のものおよび搬送路１５Ｆ，１５Ａが識別部１８に向けて搬送する。そして、識別部１８で回収可能と識別した紙幣を搬送路５Ａ，１５Ｃ，１５Ｂ，１５Ｅが前方カセット２１に搬送し、前方カセット２１が収納する（図１３の太実線参照）。識別部１８で回収不可と識別した紙幣は、搬送路５Ａが一時貯留部１７に搬送し一時貯留部１７が収納する（図１３の太実線から太破線参照）。このような処理を、収納カセット２３〜２６の指定されたものに対して行う。その後、前方カセット２１が前方ユニット部本体６１から取り外される。この回収処理では、前方ユニット部本体６１に取り付けられた前方カセット２１が前方ユニット部本体６１側から紙幣を収納し、その後、前方ユニット部本体６１から取り外されて装置外部へ取り外し可能となる。
【００６１】
以上に述べた本実施形態に係る貨幣処理装置１０によれば、筐体３１に対し水平方向に動いて開閉される貨幣処理ユニット３２が、前方ユニット部４１、中間ユニット部４２、後方ユニット部４３、の３つのユニット部を備えており、これらは、前方ユニット部４１が、閉状態での後部の左右方向一側の鉛直延在する前方ユニット部回転軸５１を中心に左右方向一側に回動して開状態となり、その後、中間ユニット部４２が、閉状態での前部の左右方向他側の鉛直延在する中間ユニット部回転軸５２を中心に左右方向他側に回動して開状態となり、その後、後方ユニット部４３が筐体３１から前方へ引き出されて開状態になる。これにより、保守点検時に必要な前方スペースは、前方ユニット部４１の上記回動、中間ユニット部４２の上記回動および後方ユニット部４３の上記引き出しが可能となるスペースとなる。言い換えれば、前方ユニット部４１、中間ユニット部４２、後方ユニット部４３を分割開放することによって、引き出す必要がある後方ユニット部４３の引き出し量を抑制する。よって、保守作業のための前方スペースの省スペース化が図れる。
【００６２】
また、後方ユニット部４３が筐体３１から引き出される際の最大引き出し量、つまり後方ユニット部４３の閉状態から全開状態までの前端位置の移動量は、閉状態にある貨幣処理ユニット３２全体の奥行き寸法よりも短い。このため、閉状態の前端位置まで後方ユニット部４３を引き出すように貨幣処理ユニット３２全体を引き出す場合と比べて、保守作業のための前方スペースの省スペース化が図れる。
【００６３】
また、前方ユニット部４１は、前方ユニット部本体６１に対し着脱可能な前方カセット２１を有しているが、この前方カセット２１は、前方ユニット部本体６１に取り付けられて、装置外部で収納された紙幣を前方ユニット部本体６１側に繰り出す補充、および、前方ユニット部本体６１側から紙幣を収納して装置外部へ取り外し可能となる回収が可能なものである。このため、前方カセット２１は空の状態であることが比較的多い。よって、前方ユニット部４１の開閉操作が容易となる。
【００６４】
また、前方ユニット部４１の閉状態での前方カセット２１の後方位置に設けられた紙幣識別搬送路２０が、紙幣を鉛直方向に搬送しつつ識別するため、前方ユニット部４１の閉状態での前後方向の寸法拡大を抑制できる。
【００６５】
また、筐体３１に対し引き出し可能であることから、比較的重たくても良い後方ユニット部４３に、装置内部で搬送される紙幣の収納および収納紙幣の装置内部での繰り出しが可能な複数の収納カセット２３〜２６を設けているため、耐荷重のための構造を簡素化することができる。
【００６６】
また、中間ユニット部４２は、閉状態にあるときに、筐体３１の前部開口３８を閉塞するため、中間ユニット部４２が筐体３１とで金庫化して、後方ユニット部４３の保安性を高めることができる。つまり、中間ユニット部４２を筐体３１に閉状態でロックするロック機構の解除操作を特定の操作者のみが行えるように構成することで、他の操作者が中間ユニット部４２を開放して、大量の現金を収納している収納カセット２３〜２６にアクセスすることを規制することができる。
【００６７】
ここで、図１４に示すように、中間ユニット部４２が、閉状態での後部の左右方向の前方ユニット部回転軸５１とは反対側の他側（具体的には左側）の鉛直延在する中間ユニット部回転軸５２を中心に回動可能となるよう筐体３１の左右方向他側（具体的には左側）の鉛直延在する前端縁部に連結されていても良い。このとき、筐体３１は、中間ユニット部回転軸５２が前方ユニット部回転軸５１よりも中間ユニット部４２の厚さ分、後側に位置するように、筐体３１の左右の前縁部が段差状に形成される。
【００６８】
このように中間ユニット部４２を筐体３１に取り付けても、中間ユニット部４２は、閉状態にあるとき、筐体３１の前部開口３８の全体を閉塞する。また、中間ユニット部４２は、閉状態から開状態にされると、中間ユニット部回転軸５２を中心に前方かつ左方に回動した後、後方かつ左方に回動して、前部開口３８の全体の前方範囲から退避する。また、中間ユニット部４２は、前方ユニット部４１が開状態にあるときに限り開作動可能となる。
【００６９】
また、図１５に示すように、収納カセット２３にかえて上下に２段の収納カセット２３Ａ，２３Ｂ（後方カセット）を、収納カセット２４にかえて上下に２段の収納カセット２４Ａ，２４Ｂ（後方カセット）を、収納カセット２５にかえて上下に２段の収納カセット２５Ａ，２５Ｂ（後方カセット）を、収納カセット２６にかえて上下に２段の収納カセット２６Ａ，２６Ｂ（後方カセット）を、それぞれ設けても良い。
【００７０】
この場合、搬送路１５Ｇが収納カセット２３Ａに接続され、搬送路１５Ｇから分岐する搬送路１５Ｊが収納カセット２３Ｂに接続され、搬送路１５Ｈが収納カセット２４Ａに接続され、搬送路１５Ｈから分岐する搬送路１５Ｋが収納カセット２４Ｂに接続され、搬送路１５Ｉが収納カセット２５Ａに接続され、搬送路１５Ｉから分岐する搬送路１５Ｌが収納カセット２５Ｂに接続され、搬送路１５Ｆが収納カセット２６Ａに接続され、搬送路１５Ｆから分岐する搬送路１５Ｍが収納カセット２６Ｂに接続される。収納カセット２３Ａ〜２６Ａ，２３Ｂ〜２６Ｂは、いずれも、紙幣を水平状態で上下方向に集積させて収納するとともに収納している紙幣を上端部のものから繰り出す集積収納タイプとなっている。
【００７１】
そして、例えば、収納カセット２３Ａ，２３Ｂには互いに同一の金種であって収納カセット２４Ａ，２４Ｂ，２５Ａ，２５Ｂ，２６Ａ，２６Ｂとは異なる金種の紙幣が収納され、収納カセット２３Ａ，２３Ｂの一方に満杯になるまで紙幣を収納し、満杯になると収納カセット２３Ａ，２３Ｂの他方に紙幣を収納するように紙幣を搬送する。他の収納カセット２４Ａ，２４Ｂ，２５Ａ，２５Ｂ，２６Ａ，２６Ｂも同様に紙幣を搬送する。勿論、収納カセット２３〜２６の少なくともいずれか一つを上下２段の収納カセットにかえることができ、収納カセット２３〜２６の少なくともいずれか一つを上下に３段以上にかえることもできる。
【００７２】
また、図１６に示すように、集積収納タイプの収納カセット２３Ａ〜２６Ａ，２３Ｂ〜２６Ｂにかえて、紙幣をテープとともにドラムに巻き付けて収納する巻付収納タイプの収納カセット２３Ａ〜２６Ａ，２３Ｂ〜２６Ｂとすることも可能である。この場合も、収納カセット２３〜２６の少なくともいずれか一つを上下２段の収納カセットにかえることができ、収納カセット２３〜２６の少なくともいずれか一つを上下に３段以上にかえることもできる。
【００７３】
以上において、貨幣処理ユニット３２は、閉状態で前方位置に配置される前方ユニット部４１、閉状態で中間位置に配置される中間ユニット部４２、閉状態で後方位置に配置される後方ユニット部４３、の３つのユニット部を有しているが、３つ以上のユニット部を有していても良い。つまり、貨幣処理ユニット３２は、少なくとも３つのユニット部を有していればよい。
【００７４】
また、前方カセット２１は、前方ユニット部本体６１に取り付けられて、装置外部で収納された紙幣を前方ユニット部本体６１側に繰り出す補充、および、前方ユニット部本体６１側から紙幣を収納して装置外部へ取り外し可能となる回収、の両方が可能となっているが、いずれか一方のみが可能となっていれば良い。つまり、前方カセット２１は、紙幣の補充および回収の少なくともいずれか一方が可能であれば良い。
【００７５】
また、収納カセット２３〜２６，２３Ａ〜２６Ａ，２３Ｂ〜２６Ｂは、後方ユニット部本体６５に取り付けられて、装置内部で搬送される紙幣の収納、および、収納紙幣の装置内部での繰り出し、の両方が可能となっているが、いずれか一方のみが可能となっていれば良い。つまり、収納カセット２３〜２６，２３Ａ〜２６Ａ，２３Ｂ〜２６Ｂは、紙幣の収納および繰り出しの少なくともいずれか一方が可能であれば良い。
【符号の説明】
【００７６】
３８  前部開口
３１  筐体
３２  貨幣処理ユニット
１０  貨幣処理装置
４１  前方ユニット部
４２  中間ユニット部
４３  後方ユニット部
５１  前方ユニット部回転軸
５２  中間ユニット部回転軸
６１  前方ユニット部本体
２１  前方カセット
２０  紙幣識別搬送路
６５  後方ユニット部本体
２３〜２６  収納カセット（後方カセット）
【図１】
0006410682.tif 000002
【図２】
0006410682.tif 000003
【図３】
0006410682.tif 000004
【図４】
0006410682.tif 000005
【図５】
0006410682.tif 000006
【図６】
0006410682.tif 000007
【図７】
0006410682.tif 000008
【図８】
0006410682.tif 000009
【図９】
0006410682.tif 000010
【図１０】
0006410682.tif 000011
【図１１】
0006410682.tif 000012
【図１２】
0006410682.tif 000013
【図１３】
0006410682.tif 000014
【図１４】
0006410682.tif 000015
【図１５】
0006410682.tif 000016
【図１６】
0006410682.tif 000017